(57)【要約】      （修正有）【課題】二つ折り状態の農業用フィルムを一枚ものの農業用フィルムに開反すると同時に、開反された一枚ものの農業用フィルムを巾方向の略中心より左右に所定間隔に長手方向に折畳みながら蛇腹状に巾寄せし連続して折畳み出来るようにして設備費の軽減を図ると共に、作業現場においては骨組みの棟に引き上げ、農業用フィルムの巾方向の左右に展開して設置できるようにし、設置作業の効率を高めようとする。【解決手段】長さ方向に二つ折り状態のフィルムを一枚に開く開反装置と、開反したフィルムを蛇腹状に巾寄せする巾寄せ装置と、巾寄せ装置の末端位置に配置し、該フィルムを蛇腹状に折畳んだ状態で押圧し送り出すピンチローラ装置と、蛇腹状に折畳まれたフィルムを所定方向に矯正する方向変換装置とよりなり、開反装置は二本のガイドローラと、該ガイドローラの端部直近上方位置を中央部が横切るように設けたガイドフレームとより成る。【選択図】  図１
2008137743.tif 000002
【特許請求の範囲】
【請求項１】
長さ方向に二つ折り状態のフィルムを一枚に開く開反装置と、開反したフィルムを蛇腹状に巾寄せする巾寄せ装置と、巾寄せ装置の末端位置に配置し、該フィルムを蛇腹状に折畳んだ状態で押圧し送り出すピンチローラ装置と、蛇腹状に折畳まれたフィルムを所定方向に矯正する方向変換装置とよりなり、開反装置は二本のガイドローラと、該ガイドローラの端部直近上方位置を中央部が横切るように設けたガイドフレームとより成り、このガイドフレームの平面視の湾曲形状は、二つ折りフィルムの中心より略９０度に開反したフィルムを長さ方向に所定間隔に折畳み且つ先端を揃えて折畳み収束したときの収束位置との相関関係で描かれる全体が矢尻型状の円弧状のものとし、巾寄せ装置は、基端部がガイドフレームの内側に接近或は接触し、開反したフィルムの折畳み位置の夫々の山位置に所定間隔に送り方向に順次狭くなるよう配した複数個の直線ガイドと、この直線ガイドの中、少なくとも中央部の直線ガイドの全部或は一部の長さを挟着ベルト装置としてあり、この挟着ベルト装置は上下の挟着ベルトよりなっていて、この挟着ベルト間に開反したフィルムの折畳み山位置を挟着し送り出し自在としてあり、この巾寄せ装置の末端から引き出される折畳まれたフィルムは前記ピンチローラ装置に送り込み自在とした二つ折りフイルムの開反、折畳み装置。
【発明の詳細な説明】
【技術分野】
【０００１】
本発明は、主に長手方向に二つ折り状態の農業用のフィルムを自動的に一枚もののフィルムに開反し、同時に長手方向に蛇腹状態の折畳みを連続的に行わせ、もって設備費の軽減と共に、ハウス設置の作業現場における設置作業の効率化を図ろうとするものである。ここでフィルムは農業用以外のフィルムや布帛類を含むものとする。
【従来技術】
【０００２】
従来、成形機によって得られた筒状フイルムを圧着し片側の折り目に沿って切開いた二つ折り状態の農業用のフィルムの開反装置としては特開平１１−１２９３１７号公報に記載されているが、これは二つ折り状態の農業用のフィルムを一枚もののフィルムに開反するだけのものであり、この一枚もののフィルムを作業現場において展開、設置するには、地面に金属パイプなどからなる支柱、横桟等を組み立てて骨組みを作り、一方、長さ方向にロール状に巻いた或は不等間隔の横方向の蛇腹状に折畳んだものを骨組みの前或は後に置き、この端部を骨組みの上に引き上げて両側から人力により後方に引いてトンネル状に展開し、左右対称になるよう所要位置を固定しているのが一般的で、困難な作業となっている。そのため二つ折り状態のフィルムを開反装置により一枚もののフィルム開反したものを、更に長手方向に蛇腹状態に折畳む装置が本件の出願人によって特許出願され、特許（第３８０２８７６号）と成っているが、開反装置と共に、設置面積が広くなると共に設備費用も高価となり経済的でないなどの欠点がある。
【発明の開示】
【発明が解決しようとする課題】
【０００３】
そこで本発明では、長手方向の二つ折り状態のフィルムを一枚もののフィルムに開反すると同時に、開反された一枚もののフィルムを巾方向の略中心より左右に所定間隔に長手方向に折畳みながら蛇腹状に巾寄せし連続して折畳み出来るようにして設備費の軽減を図ると共に、作業現場においては骨組みの棟に引き上げ、フィルムの巾方向の左右に展開して設置できるようにし、設置作業の効率を高めようとするものである。
【課題を解決するための手段】
【０００４】
本発明は、長さ方向に二つ折り状態のフィルムを一枚に開く開反装置と、開反したフィルムを蛇腹状に巾寄せする巾寄せ装置と、巾寄せ装置の末端位置に配置し、該フィルムを蛇腹状に折畳んだ状態で押圧し送り出すピンチローラ装置と、蛇腹状に折畳まれたフィルムを所定方向に矯正する方向変換装置とよりなり、開反装置は二本のガイドローラと、該ガイドローラの端部直近上方位置を中央部が横切るように設けたガイドフレームとより成り、このガイドフレームの平面視の湾曲形状は、二つ折りフィルムの中心より略９０度に開反したフィルムを長さ方向に所定間隔に折畳み且つ先端を揃えて折畳み収束したときの収束位置との相関関係で描かれる全体が矢尻型状の円弧状のものとし、巾寄せ装置は、基端部がガイドフレームの内側に接近或は接触し、開反したフィルムの折畳み位置の夫々の山位置に所定間隔に送り方向に順次狭くなるよう配した複数個の直線ガイドと、この直線ガイドの中、少なくとも中央部の直線ガイドの全部或は一部の長さを挟着ベルト装置としてあり、この挟着ベルト装置は上下の挟着ベルトよりなっていて、この挟着ベルト間に開反したフィルムの折畳み山位置を挟着し送り出し自在としてあり、この巾寄せ装置の末端から引き出される折畳まれたフィルムは前記ピンチローラ装置に送り込み自在とした二つ折りフイルムの開反、折畳み装置である。
【発明の効果】
【０００５】
二つ折り状態のフィルムを一枚もののフィルムに開反すると同時に、開反された一枚もののフィルムを巾方向の略中心より左右に所定間隔に長手方向に折畳みながら蛇腹状に巾寄せして折畳むようにしてあるので、開反装置と折畳装置を別々に設けることのない分だけ設備費が安価に済み、ハウス設置の作業現場においては骨組みした棟に引き上げフィルムを巾方向の左右に展開して設置でき、少ない人力で、効率のよい作業ができ、又供給される二つ折りのフィルムはロール状或は折畳状態でガイドローラに沿って載置されので比較的巾の狭い場所でも設置でき安価となる。
【実施例】
【０００６】
本発明を図示の実施例により説明するが、主に農業用のフィルムについて説明する。
成形機によって得られた筒状フイルムを圧着し片側の折り目に沿って切開いた二つ折り状態でロール状或は折畳まれた農業用のフィルム１を一枚に開く開反装置２と、開反したフィルム１を蛇腹状に巾寄せする巾寄せ装置３と、巾寄せ装置３の末端位置に配置し、該フィルム１を蛇腹状の巾寄せ状態で押圧し送り出すピンチローラ装置４と、蛇腹状に折畳まれたフィルム１を所定方向に矯正する方向変換装置５とよりなり、開反装置２は二本のガイドローラ６，６と、該ガイドローラ６，６の一端部６’直近上方位置を中央部７’が横切るように設けたガイドフレーム７とより成り、このガイドフレーム７の平面視の湾曲形状は、二つ折りフィルム１の中心より左右略９０度に開反したフィルム１を長さ方向に略等間隔（図７）の折畳線１’、１’…に沿って折畳み、且つ先端１”を揃えて折畳み収束（図８）したときの収束位置との相関関係で描かれる全体が矢尻型状の円弧状のものとしてある。
【０００７】
巾寄せ装置３は、基端部８’がガイドフレーム７の内側に接近或は接触し、開反したフィルム１の折畳み位置（折畳線１’，１’…）の夫々の山位置に所定間隔に送り方向に順次狭くなるよう配した複数個の直線ガイド８，８…と、これら折畳線間の谷部位置１”、１”…に設けた落しガイド１１，１１…とよりなり、直線ガイド８，８…の夫々を挟着ベルト装置９，９…としてある。
図示にあっては、直線ガイド８，８…の夫々を挟着ベルト装置９，９…としてあるが、直線ガイド８，８…全てを全長に亘り挟着ベルト装置９としなくとも、中央位置、或は中央位置を含む左右任意の折畳線１’上の直線ガイド８の全長或は部分位置、殊に後述のピンチローラ装置４寄りの部分位置を挟着ベルト装置９としてもよい。勿論落しガイド１１，１１…は上下動の調整が自在と成るように設定しておく。
勿論これらの挟着ベルト装置９，９…は同期している。これら挟着ベルト装置９は上下の挟着ベルト１０，１０よりなっていて、この挟着ベルト１０，１０間に開反したフィルム１の折畳線１’の山位置を挟着して送り出し自在としてある。
【０００８】
この巾寄せ装置３の末端から送り出された折畳まれたフィルム１は前記ピンチローラ装置４に送り込まれ、方向変換装置５によって出荷状態に折畳まれる。
【０００９】
尚二つ折りの農業用フィルム１が剥がれ難くなる恐れのある場合はガイドローラの手前に図示しない剥がしガイドを挿入しておき、密着防止剤（コンスターチ等）を噴出するようにしておくとよい。
【００１０】
二つ折り状態の農業用フィルム１はガイドロール６，６に挟まれた状態で送り出され、ガイドフレーム７によって左右に振り分けられ、開かれた農業用フィルム１の先端は順次手動により直線ガイド８，８…に載せ、同時に直線ガイド８，８の中間には落しガイド１１，１１の夫々を位置させ、挟着ベルト装置９，９に挟み込み対応する挟着ベルト装置９の駆動モータを少し駆動させて挟み込み、侵入させ、縦状態に折畳まれたフィルム１をピンチローラ装置４に送り込み、ピンチローラ装置４は押圧しながら送り込み、この時点において挟着ベルト装置、ピンチローラ装置の図示しない駆動モータを駆動し順次送り出す。蛇腹状に折畳まれたフィルム１は所定方向に矯正する方向変換装置５に送り出され、出荷しやすい状態に折畳まれる。
【００１１】
方向変換装置５は、汎用の方法でよいが、一例として、ピンチローラ装置４の下側にあって折畳まれ垂れ下がり部分を倒す方向（図では反時計方向）に回転し、送り方向の上方に傾斜し表面に折畳まれたフィルム１の垂れ下がり部分が順次表面に触れて接触面が大となる円盤１２よりなり、更にこの円盤１２の送り方向寄り上方位置で送り方向に対し平行位置で円盤１２と同方向に回転し折畳まれたフィルム１を確実に横倒しにする小円盤１３とよりなるものであリ、ピンチローラ装置４により、折畳まれたフィルム１は上部のみが挟まれ、垂れ下がり部分は円盤１２に徐々に触れて横になり、円盤１２の上半分位置では横になったまま先に送られて横倒しになり、尚小円盤１３により完全に横倒し状態になリ、この横倒しになったフィルムを前後動する折り畳みバー１４に掛けられて蛇腹状に折畳まれたものを更に直角方向に折畳み、折畳みケース１５に収納し、そのケースごと或は梱包して作業現場まで運ぶ。
【図面の簡単な説明】
【００１２】
【図１】本発明に係る農業用フイルムの開反、折畳み装置の正面説明図。
【図２】同装置の平面説明図。
【図３】フィルムの開反状態を示した全体の概略説明図。
【図４】図１のＡ−Ａ線断面概略説明図。
【図５】図１のＢ−Ｂ線断面概略説明図。
【図６】図１のＣ−Ｃ線断面概略説明図。
【図７】ガイドフレームの平面視形状を説明するための農業用フィルムの開反展開説明図。
【図８】ガイドフレームの平面視形状を説明するための農業用フィルムの先端を揃え折畳み収束した状態の説明図。
【図９】挟着ベルト装置の拡大説明図。
【図１０】方向変換装置の拡大説明図
【符号の説明】
【００１３】
１：フィルム
１’、１’…折畳線
１”：先端
２：開反装置
３：巾寄せ装置
４：ピンチローラ装置
５：方向変換装置
６，６：ガイドローラ
６’：端部
７：ガイドフレーム
７’：中央部
８，８…：直線ガイド
８’：基端部
９：挟着ベルト装置
１０，１０：挟着ベルト
１１：落しガイド
１２：円盤
１３：小円盤
１４：折畳バー
１５：ケース
【図１】
2008137743.tif 000003
【図２】
2008137743.tif 000004
【図３】
2008137743.tif 000005
【図４】
2008137743.tif 000006
【図５】
2008137743.tif 000007
【図６】
2008137743.tif 000008
【図７】
2008137743.tif 000009
【図８】
2008137743.tif 000010
【図９】
2008137743.tif 000011
【図１０】
2008137743.tif 000012